(57)【要約】【課題】電子機器冷却用ファンの流量を向上し、騒音レベルを減少する。【解決手段】ダクト部２０、集風口２１２、ファンホイール支持部２２１及びファンホイール部２３から構成され、ダクト部前後は、それぞれ入風側２０１および出風側２０が形成され、入風側には、ダクト部外径よりも半径方向外方に拡大して滑らかな弧面を備えた集風口２１を形成し、ファンホイール支持部は入風側に配置すると共に誘導翼２２２によって該支持部をダクト部を結合して支持固定する。【選択図】図３
0003127957.tif 000002
【実用新案登録請求の範囲】
【請求項１】
冷却ファンを収容し、その回転軸方向に沿って配置されたダクト部、
該ダクト部の冷却流体を導入する入風側に配置され、該軸方向に延長すると共に半径方向に滑らかな弧面を形成して拡大した集風口、
該ダクト部の入風側に配置され、複数の放射状に配置された誘導翼からなり、該ファンホイール支持部と前記ダクト部との間を結合してファンホイールを支持固定する固定部、
前記ダクト部の出風側に向けて該ファンホイール支持部下面側にピン接合されて被冷却物に相対して配置されたファンホイール部、
とからなる前置誘導翼型吊り下げファン。
【請求項２】
前記ダクト部は、円筒状であることを特徴とする請求項１記載の前置誘導翼型吊り下げファンの構造。
【請求項３】
前記ダクト部は、側面に冷却流体導入用スリットを有することを特徴とする請求項１記載の前置誘導翼型吊り下げファンの構造。
【請求項４】
前記スリットは、軸方向に形成されることを特徴とする請求項３記載の前置誘導翼型吊り下げファンの構造。
【請求項５】
前記スリットは、周方向に形成されることを特徴とする請求項３記載の前置誘導翼型吊り下げファンの構造。
【請求項６】
前記出風側ダクト部の周縁には少なくとも１つの被冷却物取付け用固定部を設けてなることを特徴とする請求項１または２または３記載の前置誘導翼型吊り下げファンの構造。
【請求項７】
前記誘導翼は、前記ファンの翼と同一方向に湾曲することを特徴とする請求項１記載の前置誘導翼型吊り下げファンの構造。
【請求項８】
前記誘導翼は、前記ファンの翼と異なる方向に湾曲することを特徴とする請求項１記載の前置誘導翼型吊り下げファンの構造。
【請求項９】
前記弧面は、流線型またはラッパ形状または階段形状を形成することを特徴とする請求項９記載の前置誘導翼型吊り下げファンの構造。
【請求項１０】
前記凸伸端の軸方向延伸線と軸方向を成すダクト部とが距離を有することを特徴とする請求項１記載の前置誘導翼型吊り下げファンの構造。
【考案の詳細な説明】
【技術分野】
【０００１】
本考案は、「前置誘導翼型吊り下げファンの構造」に関し、特に、集風口を有する吊り下げファンの構造に関する。
【背景技術】
【０００２】
一般に電子機器冷却用ファンは、図１に示すように、ダクト１０を有し、前記ダクト１０の両側は、入風側１０１および出風側１０２を形成し、ファンホイール支持部１１は、出風側１０２に設置され、複数の接続リブ１０３は、ダクト１０およびファンホイール支持部１１間を接続し、ファンホイール支持部１１を固定し、ファンホイール１４は、ファンホイール支持部１１上に活動可能にピン接合され、ファンホイール１４が、ファンホイール支持部１１にピン接合されていない側から入風側１０１に向かうようにさせ、そのうち、ダクト１０は、軸方向に形成され、入風側１０１も軸方向に直立し、ファン１４が回転する時、流体を連動し入風側１０１を通過させ、ファン１４で加速されて、出風側１０２から流出する。
【０００３】
上記の従来技術においては実用上、問題が存在する。入風側１０１のダクトが、軸方向に直立することにより、冷却流体が入風側１０１から進入する時、ダクト開口側方から入風側に向かう流れが生じるため、開口部の流体が絞り込まれて実質上流入開口が狭められて流入量が減少すると共に乱流による騒音デシベル数の増加を引き起こし、更に、出風側１０２では、冷却流体が接続リブ１０３に衝突して乱流を発生し、更に騒音のデシベル数を増加し、同時に冷却流体が直接に発熱部材（図示せず）に接触する面積も減少し、冷却効果において好ましいものとならない。
【特許文献１】特開平１１−１４５６６３号公報
【特許文献２】特開２００１−３０４１９６号公報
【考案の開示】
【考案が解決しようとする課題】
【０００４】
上記の問題を効果的に解決するため、本考案の目的は、ファンの入風側に集風口を設け、集風口の弧面が流体を導引し入風口へ円滑に通過させることにより、ファンの効率を向上し、雑音を低減させることである。
【０００５】
本考案の他の目的は、ファンの入風側にダクト部およびファンホイール支持部間に接続する誘導翼を設け、流量および流圧を向上し、異物進入を防止する特性を兼ね備えさせることである。
【０００６】
本考案の他の目的は、出風側において冷却流体の障害を取り除き、流体が衝突することがなく、流体が出風側において乱流を発生せず、雑音を低減するとともに、流体を増加し、流体が直接に冷却する部材の面積を吹き、大幅に冷却効果を向上させることである。
【０００７】
本考案の他の目的は、集風口がダクト部にやや突出し、突出する一端の軸方向延伸線とダクト部との間に距離を有するようにし、集風口の直径が、出風側の直径よりもやや大きくなるようにさせ、集風面積を増加させることである。
【課題を解決するための手段】
【０００８】
上記の目的を達成する為、本考案が提供する「前置誘導翼型吊り下げ構造」は、ダクト部と、集風口と、固定部と、ファンホイール部から構成され、そのうち、ダクト部の両側にはそれぞれ、入風側および出風側を形成され、集風口は、ダクト部に沿って入風側に設置されるとともに、少なくとも１つの弧度を有する弧面を含み、ダクト部の軸方向に沿って軸方向に相対する放射方向に外部へ延伸し、固定部は、流道内の入風側寄りに設置され、ファンホイール部を固定部上に吊り下げるようにピン接合し、ファンホイール部の固定部上にピン接合されていない面を出風側の冷却する部材に対応させ、集風口が流体を誘導し出風側の誘導翼へ円滑に通過させ、誘導翼を経由して流量および流圧を増加し、出風側を通過する時に障害物により邪魔されることがなく、冷却効率を大幅に増加し、雑音を低減する特性を兼ね備えさせる。
【考案の効果】
【０００９】
本考案の前置誘導翼型吊り下げ構造は、ファンの入風側に集風口を設け、集風口の弧面により流体を導引し入風口へ円滑に通過させることにより、ファンの効率を向上し、雑音を低減させる。
【００１０】
本考案の前置誘導翼型吊り下げ構造は、ファンの入風側にダクト部およびファンホイール支持部間に接続する誘導翼を設け、流量および風圧を向上し、異物進入を防止する特性を兼ね備えさせる。
【００１１】
本考案の前置誘導翼型吊り下げ構造は、出風側において障害物が流体の流動を乱し、流体が衝突することがなく、流体が出風側において乱流を発生せず、雑音を低減するとともに、流体を増加し、流体が直接に冷却する部材の面積を吹き、大幅に冷却効果を向上させる。
【００１２】
本考案の前置誘導翼型吊り下げ構造は、集風口がダクト部から半径方向外方に拡大突出し、端部外周がダクト部より拡大して、集風口の直径が、出風側の直径よりもやや大きくなるようにさせ、集風面積を増加させる。
【考案を実施するための最良の形態】
【００１３】
本考案は、「前置誘導翼型吊り下げ構造」を提供し、図は、本考案の好適な実施例を示すものであり、図２，３に示すように、ダクト部２０と、集風口２１と、固定部２２と、ファンホイール部２３とからなる。そのうち、ダクト部２０は、中心軸がファン回転軸と同じ円筒状に形成され、それぞれ入風側２０１および出風側２０２を有し；集風口は、ダクト部２０の入風側２０１からダクト部の軸方向に突出すると共に半径方向に拡大して弧度を有する弧面２１１を構成し、弧面２１１は流線型、ラッパ形状または階段形状を成し、その凸伸端２１２はダクト部２０よりやや凸出して、凸伸端２１２はダクト部２０外周面から距離ａだけ外方に拡大され、集風口２１の直径が出風側２０２の直径よりもやや大きく、集風面積を増加させる。
固定部２２は、ファンホイール支持部２２１および複数の誘導翼２２２を有し、ファンホイール支持部２２１が、ダクト部２０の入風側２０１に設置され、誘導翼２２２は、放射状を成してファンホイール支持部２２１とダクト部の間を接続してファンホイール支持部２２１を支持固定し；ファンホイール部２３は、ネイブ２３１およびネイブ２３１周囲にそって設置する翼２３２を含み、ファンホイール部２３は、ファンホイール支持部２２１から吊り下げるようにピン接合され、ファンホイール部２３のファンホイール支持部２２１とピン接合されていない側を出風側２０２に向けて配置する。
【００１４】
ダクト部２０の出風側２０２は、冷却する部材（図示せず）に対応し、例えば、ヒートシンク、ＣＰＵ等であり、出風側２０２の周縁には少なくとも１つの固定部２４を有して冷却する部材上に設置し、固定部２４は、本実施例図中では、4個有り、それぞれダクト部２０の四隅に位置する。図４に示すように、前記のダクト部２０は、連続的に巻き付いて密閉してなることができ、または、図５、図６に示すように、ダクト部２０に複数の開口２５を開設して冷却流体を開口２５からダクト部２０内に進入させ、流量を増加させるものであり、開口２５の形状は、限定することなく、例えば、軸方向、または周方向のスリットとすることができる。
【００１５】
図３に示すように、ファンホイール部２３が回転すると冷却流体を駆動して入風側２０１の集風口２１から進入させるとともに誘導翼２２２を通過させ、更に、冷却する部材へ流動させる。集風口２１の直径が出風側２０２の直径よりやや大きく拡大されて側後方からの冷却流体の流入を抑制し、流体を集風口に向けて滑らかな流れとして誘導することにより、流体の流量を増加させる。集風口２１の流線型の弧面２１１に沿って入風側２０１に導入されることにより集風口の側、後方からの逆流および乱流による騒音の発生を減少し、風量を増加し、同時に誘導翼２２２が更に入風流量および圧力を向上させる；流体がファンホイール部に進入した後、翼２３２が流体を加速し出風側２０２の冷却する面積に向けて流動させる。出風側２０２において冷却流体が衝突して流れを乱す障害物がないため、流体が出風側２０２において乱流を発生せず、雑音を低減するとともに、流量を増加し、流体が直接に冷却する部材を吹き付ける面積を増加する。
【００１６】
上記の誘導翼２２２は、保護網の作用を兼ね備えてファンホイール部２３が回転する時、異物がダクト部２０内に進入することを防止する。また、上記の図においては、誘導翼２２２の湾曲する方向がファンの翼２３２と異なるが、これに限定するものではなく、誘導翼２２２の湾曲方向は翼２３２と同一であってもよい（図示せず）。
【００１７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１８】
【図１】従来の構造の断面図である。
【図２】本考案の好適な実施例の立体図である。
【図３】本考案の好適な実施例の断面図である。
【図４】本考案の好適な実施例の側面図である。
【図５】本考案の好適な実施例のダクト部に開口を設置した説明図である。
【図６】本考案の好適な実施例のダクト部に他の状態の開口を設置した説明図である。
【符号の説明】
【００１９】
１０ ダクト部
１０１ 入風側
１０２ 出風側
１０３ 接続リブ
１１ ファンホイール支持部
１４ ファンホイール
２０  ダクト部
２０１ 入風側
２０２ 出風側
２１ 集風口
２１１ 弧面
２１２ 凸伸端
２２ 固定部
２２１ ファンホイール支持部
２２２ 誘導翼
２３ ファンホイール部
２３１ ネイブ
２３２ 翼
２４ 固定部
２５ 開口
【図１】
0003127957.tif 000003
【図２】
0003127957.tif 000004
【図３】
0003127957.tif 000005
【図４】
0003127957.tif 000006
【図５】
0003127957.tif 000007
【図６】
0003127957.tif 000008
【手続補正書】
【提出日】平成18年10月25日(2006.10.25)
【手続補正１】
【補正対象書類名】実用新案登録請求の範囲
【補正対象項目名】全文
【補正方法】変更
【補正の内容】
【実用新案登録請求の範囲】
【請求項１】
冷却ファンを収容し、その回転軸方向に沿って配置されたダクト部、
該ダクト部の冷却流体を導入する入風側に配置され、該軸方向に延長すると共に半径方向に滑らかな弧面を形成して拡大した集風口、
該ダクト部の入風側に配置され、複数の放射状に配置された誘導翼からなり、該ファンホイール支持部と前記ダクト部との間を結合してファンホイールを支持固定する固定部、
前記ダクト部の出風側に向けて該ファンホイール支持部下面側にピン接合されて被冷却物に相対して配置されたファンホイール部、
とからなる前置誘導翼型吊り下げファン。
【請求項２】
前記ダクト部は、円筒状であることを特徴とする請求項１記載の前置誘導翼型吊り下げファン。
【請求項３】
前記ダクト部は、側面に冷却流体導入用スリットを有することを特徴とする請求項１記載の前置誘導翼型吊り下げファン。
【請求項４】
前記スリットは、軸方向に形成されることを特徴とする請求項３記載の前置誘導翼型吊り下げファン。
【請求項５】
前記スリットは、周方向に形成されることを特徴とする請求項３記載の前置誘導翼型吊り下げファン。
【請求項６】
前記出風側ダクト部の周縁には少なくとも１つの被冷却物取付け用固定部を設けてなることを特徴とする請求項１または２または３記載の前置誘導翼型吊り下げファン。
【請求項７】
前記誘導翼は、前記ファンの翼と同一方向に湾曲することを特徴とする請求項１記載の前置誘導翼型吊り下げファン。
【請求項８】
前記誘導翼は、前記ファンの翼と異なる方向に湾曲することを特徴とする請求項１記載の前置誘導翼型吊り下げファン。
【請求項９】
前記弧面は、流線型またはラッパ形状または階段形状を形成することを特徴とする請求項１記載の前置誘導翼型吊り下げファン。
【請求項１０】
前記凸伸端の軸方向延伸線と軸方向を成すダクト部とが距離を有することを特徴とする請求項１記載の前置誘導翼型吊り下げファン。